(57)【要約】      （修正有）【課題】水その他の液体が漏出・溢出するのを防止するジェット型マッサージ器を提供する。【解決手段】ジェット型マッサージ器は、上蓋１、モータ２、本体３、回転盤４、防護カバー５、ゴムカバー６からなり、上蓋は片体カバーで、底端周縁は凸部を有し、本体上端と嵌合し、モータは動力モータ下端に小さい凸ブロック２２と凸棒２３を有し、回転盤を回転させ、本体は一体成型で内部に容置空間を設けてモータを放置し、穿孔がモータの凸ブロックと嵌合し、下端はゴムカバーと接合し、回転盤は碗状形状をなし、下端はブレード４２を設け、中心は凸柱孔を有し、防護カバーは回転盤下方に置かれ、外周は数個の長孔を穿設し、底部に数個の円孔を穿設し、流体が通過でき、ゴムカバーは弧状のゴムカバーで周縁部分下端に固定環６１を有する。水、或いは、その他の液体が漏出、溢出するのを防止する。【選択図】図２
0003117665.tif 000002
【実用新案登録請求の範囲】
【請求項１】
ジェット型マッサージ器であって、上蓋、モータ、本体、回転盤、防護カバー、ゴムカバー、からなり、
前記上蓋は、片体カバーで、底端周縁は、凸部を有し、前記本体上端と嵌合するもので、
前記モータは、動力モータ下端に、小さい凸ブロックと凸棒を有し、前記動力モータ下端は、前記本体内部に嵌入され、前記凸ブロックは、前記本体中の穿孔と嵌合し、前記凸棒は、前記回転盤の凸柱孔と嵌合し、前記回転盤が回転するもので、
前記本体は一体成型で、上端は、前記上蓋と嵌合し、内部に容置空間を設け、前記モータを放置し、その内部は、穿孔を有し、前記モータの凸ブロックと嵌合し、下端は、前記ゴムカバーと接合され、前記回転盤と前記防護カバーを容置する空間を形成するもので、
前記回転盤は、前記本体内部に置設し、碗状形状をなし、前記防護カバー内に置かれ、下端は、ブレードを設け、中心は、凸柱孔を有し、前記モータの凸棒を内部に嵌設しているもので、
前記防護カバーは、前記回転盤下方に置かれ、前記回転盤を包覆し、その外周は、数個の長孔を穿設し、且つ、底部に、数個の円孔を穿設し、流体が通過できるようになっていて、且つ、前記回転盤の防護作用を有するもので、
前記ゴムカバーは、弧状のゴムカバーで、前記本体の下方、前記防護カバーの外部に配置され、周縁部分下端に、固定環を有して、前記本体下方に固定され、また、螺旋、或いは、ネジによる緊鎖方式で、水、或いは、その他の液体が漏出、溢出するのを防止するものあることを特徴とするジェット型マッサージ器。
【考案の詳細な説明】
【技術分野】
【０００１】
本考案は、ジェット型マッサージ器に関するものであって、特に、ブレード上方に、防護カバーを設置し、且つ、水、或いは、その他の液体外面に、ゴムカバーを有し、このゴムカバーは、螺旋、或いは、ネジによる緊鎖方式で、マッサージ力量が柔和になるジェット型マッサージ器に関するものである。
【背景技術】
【０００２】
公知のマッサージ器は、実芯のプラスチック、或いは、ゴムをマッサージ器の主体としているので、マッサージ過程で、力量が過大であると、身体を傷つける恐れがある。
【考案の開示】
【考案が解決しようとする課題】
【０００３】
上述の欠点を改善するため、本考案は改良を加え、マッサージ力量が柔和になるジェット型マッサージ器を提供することを目的とする。  
【課題を解決するための手段】
【０００４】
上述の目的を達成するため、本考案のジェット型マッサージ器は、上蓋、モータ、本体、回転盤、防護カバー、ゴムカバー、からなる。
【考案の効果】
【０００５】
本考案のジェット型マッサージ器により、マッサージ力量が柔和になる。
【考案を実施するための最良の形態】
【０００６】
本考案のジェット型マッサージ器は、上蓋１、モータ２、本体３、回転盤４、防護カバー５、ゴムカバー６、からなる。
【０００７】
上蓋１は、片体カバーで、底端周縁は、凸部１１を有し、本体３上端と嵌合する。
【０００８】
モータ２は、動力モータ２１下端に、小さい凸ブロック２２と凸棒２３を有し、動力モータ２１下端は、本体３内部に嵌入され、凸ブロック２２は、本体３中の穿孔３１と嵌合し、凸棒２３は、回転盤４の凸柱孔４１と嵌合し、回転盤４が回転するようになっている。
【０００９】
本体３は一体成型で、上端は、上蓋１と嵌合し、内部に容置空間を設け、モータ２を放置する。その内部は、穿孔３１を有し、モータ２の凸ブロック２２と嵌合し、下端は、ゴムカバー６と接合され、回転盤４と防護カバー５を容置する空間を形成する。
【００１０】
回転盤４は、本体３内部に置設し、碗状形状をなし、防護カバー５内に置かれ、下端は、ブレード４２を設け、中心は、凸柱孔４１を有し、モータ２の凸棒２３を内部に嵌設している。
【００１１】
防護カバー５は、回転盤４下方に置かれ、回転盤４を包覆し、その外周は、数個の長孔を穿設し、且つ、底部に、数個の円孔を穿設し、流体が通過できるようになっていて、且つ、回転盤４の防護作用を有する。
【００１２】
ゴムカバー６は、弧状のゴムカバーで、本体３の下方、防護カバー５の外部に配置され、周縁部分下端に、固定環６１を有して、本体３下方に固定される。また、螺旋、或いは、ネジによる緊鎖方式で、水、或いは、その他の液体が漏出、溢出するのを防止する。
【００１３】
本考案のジェット型マッサージ器の組み立ては、図１、及び、図２で示されるように、動力モータ２１を本体３内部に置入し、凸ブロック２２と穿孔３１を嵌合する。凸棒２３は、回転盤４内端に嵌入して固設し、回転盤４と凸棒２３が同時に回転し、更に、上蓋１を蓋合し、回転盤４を本体３内部に配置する。動力モータ２１が回転する時、回転盤４も伴って回転する。回転盤４下端に、ブレード４２を有し、ゴムカバー６内端の流体を帯動し、且つ、回転盤４下に、多孔の防護カバー５を設けると共に、防護カバー５下端に、ゴム６を包覆し、流体を装置する空間を形成し、且つ、ゴム６周縁下端は、固定環６１により、本体３の下端に固定される。回転盤４下端は、ゴムカバー６により包覆されて、螺旋、或いは、ネジの緊鎖方式により、漏水、或いは、その他の液体は溢出するのを防止し、本考案は、体積が縮小されて、マッサージ器に組設される（図３）か、或いは、足つぼマッサージ器に組設され（図４）、マッサージ効果を達成する。
【００１４】
本考案のジェット型マッサージ器は、回転盤４下方が、ゴムカバー６により包覆され、螺旋、或いは、ネジの緊鎖方式により、漏水、或いは、その他の液体は溢出するのを防止し、本考案は独立したマッサージ器として、或いは、各種マッサージ器内部に間接的に設置することもでき、液体ジェット式のマッサージ効果を得ることが出来る。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の素子の立体分解図である。
【図２】本考案の側視図である。
【図３】本考案のもう一つの実施図である。
【図４】本考案の更にもう一つの実施図である。
【符号の説明】
【００１７】
１…上蓋
１１…凸棒
２…モータ
２１…動力モータ
２２…凸ブロック    
２３…凸棒
３…本体
３１…穿孔
４…回転盤
４１…凸柱孔
４２…ブレード
５…防護カバー
６…ゴムカバー
６１…固定環  
【図１】
0003117665.tif 000003
【図２】
0003117665.tif 000004
【図３】
0003117665.tif 000005
【図４】
0003117665.tif 000006